(57)【要約】【課題】制御対象とする照明装置の登録に際して誤登録を低減する無線制御照明システムを提供する。【解決手段】無線制御照明システムは、無線通信機能を有する照明装置１００と、照明装置１００を無線通信により制御する無線装置２００とを備え、無線装置２００は、照明装置１００と無線装置２００との間の特定の無線通信モードにおける照明装置１００または無線装置１００での受信信号強度の変動を示す照明装置毎の変動情報を取得する取得部２１６と、変動情報に示される変動が所定条件を満たすか否かを判定する判定部２１７と、所定条件を満たすと判定された場合に当該照明装置を登録候補と決定する決定部２１８と、登録候補の中から選択された照明装置を制御対象として登録する登録部２１９とを備える。【選択図】図２
2017107669.tif 000002
【特許請求の範囲】
【請求項１】
無線通信機能を有する照明装置と、
照明装置を無線通信により制御する無線装置とを備え、
前記無線装置は、
前記照明装置と前記無線装置との間の特定の無線通信モードにおける前記照明装置または前記無線装置での受信信号強度の変動を示す前記照明装置毎の変動情報を取得する取得部と、
前記変動情報に示される変動が所定条件を満たすか否かを判定する判定部と、
前記所定条件を満たすと判定された場合に当該照明装置を登録候補と決定する決定部と、
前記登録候補の中から選択された照明装置を制御対象として登録する登録部とを備える
無線制御照明システム。
【請求項２】
前記無線装置は、ユーザ操作に従って前記無線通信により前記照明装置を制御する制御装置、および、前記制御装置からの無線信号を前記照明装置に中継する中継装置の一方である
請求項１に記載の無線制御照明システム。
【請求項３】
前記所定条件は、前記受信信号強度の変動幅に関する
請求項１または２に記載の無線制御照明システム。
【請求項４】
前記無線装置は、前記特定の無線通信モードにおいて、前記照明装置の動作状態を変化させることを指示する制御信号を単数回または複数回送信し、
前記所定条件は、前記動作状態の変化と前記変動情報に示される変動との間に相関性があることを含む
請求項１から３の何れか１項に記載の無線制御照明システム。
【請求項５】
前記制御信号は、人が認識可能な速度で明るさを変化させることを指示する
請求項４に記載の無線制御照明システム。
【請求項６】
前記制御信号は、人が認識可能な速度で色温度を変化させることを指示する
請求項４に記載の無線制御照明システム。
【請求項７】
前記照明装置は、音を出力する音源部を備え、
前記制御信号は、人が認識可能な速度で前記音源部の音を変化させことを指示する
請求項４に記載の無線制御照明システム。
【請求項８】
前記無線制御照明システムは、さらに、
電波反射体または電波吸収体を含む面状部材と、
前記面状部材に取り付けられた柄とを備える
請求項１から７の何れか１項に記載の無線制御照明システム。
【請求項９】
前記無線制御照明システムは、さらに、
前記照明装置に変位可能に取り付けられた面状部材を備え、
前記面状部材は電波反射体または電波吸収体である
請求項１から７の何れか１項に記載の無線制御照明システム。
【請求項１０】
前記照明装置は、前記特定の無線通信モードにおいて前記変動情報を生成し、当該変動情報を前記無線装置に送信し、
前記取得部は、前記照明装置から前記変動情報を受信することにより取得する
請求項１から９の何れか１項に記載の無線制御照明システム。
【請求項１１】
前記無線装置は、前記特定の無線通信モードにおいて前記変動情報を生成し、
前記取得部は、生成された前記変動情報を取得する
請求項１から９の何れか１項に記載の無線制御照明システム。
【請求項１２】
照明装置を無線通信により制御する無線装置であって、
前記照明装置と前記無線装置との間の特定の無線通信モードにおける前記照明装置または前記無線装置での受信信号強度の変動を示す前記照明装置毎の変動情報を取得する取得部と、
前記変動情報に示される変動が所定条件を満たすか否かを判定する判定部と、
前記所定条件を満たすと判定された場合に当該照明装置を登録候補と決定する決定部と、
前記登録候補の中から選択された照明装置を制御対象として登録する登録部とを備える
無線装置。
【請求項１３】
無線装置に制御対象の照明装置を登録する方法であって、
前記照明装置と前記無線装置との間の特定の無線通信モードにおける前記照明装置または前記無線装置での受信信号強度の変動を示す前記照明装置毎の変動情報を取得し、
前記変動情報に示される変動が所定条件を満たすか否かを判定し、
前記所定条件を満たすと判定された場合に当該照明装置を登録候補と決定し、
前記登録候補の中から選択された照明装置を制御対象として登録する
登録方法。
【発明の詳細な説明】
【技術分野】
【０００１】
本発明は、無線通信機能を有する照明装置、照明装置を無線通信により制御する無線装置、および、照明装置の登録方法に関する。
【背景技術】
【０００２】
例えば、特許文献１〜３には、無線通信機能を有する照明装置、および照明装置を無線通信により制御する無線装置に関する記載がある。
【０００３】
また、特許文献４は、制御対象とする照明装置を容易に登録するために、照明装置の受信信号強度に応じて照明制御装置が照明装置を登録して、登録した照明装置を制御することを開示している。
【先行技術文献】
【特許文献】
【０００４】
【特許文献１】特開２００２−３４３５８１号公報
【特許文献２】特開２００６−９３０９８号公報
【特許文献３】特開２０１２−８９２７６号公報
【特許文献４】特開２０１５−９７２１１号公報
【発明の概要】
【発明が解決しようとする課題】
【０００５】
しかしながら、特許文献４によれば、制御対象としたい照明装置よりも他の照明装置の受信信号強度が強い場合などにおいて、他の照明装置を誤って登録する可能性がある。
【０００６】
本発明は、制御対象とする照明装置の登録に際して誤登録を低減する無線制御照明システム、無線装置および登録方法を提供することを目的とする。
【課題を解決するための手段】
【０００７】
上記目的を達成するために、本発明に係る無線制御システムの一形態は、無線通信機能を有する照明装置と、照明装置を無線通信により制御する無線装置とを備え、前記無線装置は、前記照明装置と前記無線装置との間の特定の無線通信モードにおける前記照明装置または前記無線装置での受信信号強度の変動を示す前記照明装置毎の変動情報を取得する取得部と、前記変動情報に示される変動が所定条件を満たすか否かを判定する判定部と、前記所定条件を満たすと判定された場合に当該照明装置を登録候補と決定する決定部と、前記登録候補の中から選択された照明装置を制御対象として登録する登録部とを備える。
【０００８】
また、本発明に係る無線装置の一形態は、照明装置を無線通信により制御する無線装置であって、前記照明装置と前記無線装置との間の特定の無線通信モードにおける前記照明装置または前記無線装置での受信信号強度の変動を示す前記照明装置毎の変動情報を取得する取得部と、前記変動情報に示される変動が所定条件を満たすか否かを判定する判定部と、前記所定条件を満たすと判定された場合に当該照明装置を登録候補と決定する決定部と、前記登録候補の中から選択された照明装置を制御対象として登録する登録部とを備える。
【０００９】
また、本発明に係る照明装置の登録方法の一形態は、無線装置に制御対象の照明装置を登録する方法であって、前記照明装置と前記無線装置との間の特定の無線通信モードにおける前記照明装置または前記無線装置での受信信号強度の変動を示す前記照明装置毎の変動情報を取得し、前記変動情報に示される変動が所定条件を満たすか否かを判定し、前記所定条件を満たすと判定された場合に当該照明装置を登録候補と決定し、前記登録候補の中から選択された照明装置を制御対象として登録する。
【発明の効果】
【００１０】
本発明に係る無線制御照明システム、無線装置および登録方法によれば、制御対象とする照明装置の登録に際して誤登録を低減することができる。
【図面の簡単な説明】
【００１１】
【図１】図１は、実施の形態１における無線制御照明システムの構成例を示す図である。
【図２】図２は、実施の形態１における無線制御照明システムの構成例を示すブロック図である。
【図３】図３は、無線通信における受信信号強度を示す図である。
【図４】図４は、ＵＩ（User Interface）部における表示例を示す図である。
【図５】図５は、登録モードの処理例を示すシーケンス図である。
【図６】図６は、撹乱部材の他の例を示す図である。
【図７】図７は、実施の形態１の変形例を示すシーケンス図である。
【図８】図８は、実施の形態２における登録モードの処理例を示すシーケンス図である。
【図９】図９は、登録モードにおける明るさの変化、撹乱部材の変化、および受信信号強度の変化を示す図である。
【図１０】図１０は、登録モードにおける色温度の変化、撹乱部材の変化、および受信信号強度の変化を示す図である。
【図１１】図１１は、登録モードにおける音の変化、撹乱部材の変化、および受信信号強度の変化を示す図である。
【図１２】図１２は、実施の形態２における変形例を示すシーケンス図である。
【発明を実施するための形態】
【００１２】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置および接続形態、ステップおよびステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１３】
（実施の形態１）
［１．１  照明システムの構成例］
まず、実施の形態１における照明システムの構成例について説明する。
【００１４】
図１は、実施の形態１における無線制御照明システムの構成例を示す図である。同図の無線制御照明システムは、複数の照明装置１００ａ〜１００ｄ、無線装置２００、無線装置３００および撹乱部材４００を備える。
【００１５】
まず、撹乱部材４００について説明する。撹乱部材４００は、電波反射体または電波吸収体を含む面状部材４１０と、面状部材４１０に取り付けられた柄４２０とを備える。
【００１６】
面状部材４１０は、例えば、アルミ箔などの導電性シートで覆われた板でよく、電波反射体として機能する。また、面状部材４１０は、例えば、フェライト等の磁性体を含む板でもよく、電波吸収体として機能する。
【００１７】
柄４２０は、ユーザまたは設置作業者がつかむ取手であり、照明装置１００のＩＤを無線装置２００に登録する際に、撹乱部材４００を照明装置１００に近づけたり遠ざけたりすることにより、照明装置１００の電波を撹乱するために用いられる。電波の撹乱は、ここでは、照明装置１００の受信信号および１００からの送信信号の電界強度を変動させることをいう。
【００１８】
この撹乱部材４００は、照明装置１００のＩＤを無線装置２００に登録する際に、次のように、用いられる。すなわち、ユーザまたは設置作業者が、撹乱部材４００を、制御対象としたい照明装置１００に近づけたり遠ざけたりすることによって、照明装置１００と無線装置２００との間の電波を撹乱する。その結果、照明装置１００における受信信号強度、または、当該照明装置１００からの無線信号を受信する無線装置２００の受信信号強度が変動する。無線装置２００は、照明装置１００のＩＤを登録する際に、人為的な変動の有無、または、変動が条件を満たすか否かによって、制御対象以外の照明装置１００か他の照明装置１００かを判別する。
【００１９】
複数の照明装置１００ａ〜１００ｄは、任意の台数でよく、個別のＩＤ（識別子）を有する点以外は同じ構成でよい。複数の照明装置１００ａ〜１００ｄを特に区別する必要がない場合は、代表的に照明装置１００と呼ぶ。照明装置１００は、無線通信機能を有し、無線装置２００または無線装置３００から無線通信により制御される。照明装置１００、自身のＩＤ含む無線信号、およびブロードキャストアドレスを含む無線信号に応答する。
【００２０】
無線装置２００は、ユーザが無線通信により照明装置１００を制御する制御装置、つまり無線リモコンであり、例えば、タブレット型端末装置、またはスマートフォン型の端末装置である。無線装置２００は、制御対象の照明装置１００のＩＤをアドレスとして無線信号に含めることによって当該照明装置１００を個別に制御することができる。また、無線装置２００は、無線信号にブロードキャストアドレスを含めることにより、電波が届く範囲内の照明装置１００に無線信号を受信させることができる。
【００２１】
ここで、無線装置２００が、制御対象としたい照明装置１００を登録する方法を簡単に説明する。すなわち、無線装置２００は、照明装置１００と無線装置２００との間の特定の無線通信モード（登録モードと呼ぶ）で、照明装置１００または無線装置２００における受信信号強度の変動を示す照明装置１００毎の変動情報を取得し、変動情報に示される変動が所定条件を満たす場合に当該照明装置を登録候補と決定し、登録候補の中から選択された照明装置を制御対象として登録する。
【００２２】
無線装置３００は、無線装置２００と照明装置１００との間で無線信号を中継する中継装置である。中継の対象となる照明装置１００のＩＤは、予め無線装置３００に登録しておくことが好ましい。その場合、無線装置３００へのＩＤの登録も、上記と同様に行うことができる。すなわち、無線装置３００は、照明装置１００と無線装置３００との間の特定の無線通信モード（登録モードと呼ぶ）における照明装置１００または無線装置３００での受信信号強度の変動を示す照明装置１００毎の変動情報を取得し、変動情報に示される変動が所定条件を満たす場合に当該照明装置を登録候補と決定し、登録候補の中から選択された照明装置を制御対象として登録する。
【００２３】
［１．２  照明装置および無線装置の構成例］
次に、照明装置１００、無線装置２００、３００のより詳細な構成について説明する。
【００２４】
図２は、実施の形態１における無線制御照明システムの構成例を示すブロック図である。同図のように、照明装置１００は、光源ユニット１１０、点灯回路１１１、制御部１１２、無線部１１３、記憶部１１４、電源回路１１５および音源部１１６を備える。
【００２５】
光源ユニット１１０は、１以上の発光素子を備える。１以上の発光素子は、例えば、複数のＬＥＤ（Light Emitting Diode）素子である。なお、１以上の発光素子は、ＬＥＤ素子に限定されない。光源ユニット１１０は、例えば、半導体レーザ等の半導体発光素子、有機ＥＬ（Electro Luminescence）または無機ＥＬ等の固体発光素子を有してもよい。また、光源ユニット１１０は、直管型でもよいし、または円環型でもよいし、ダウンライトでもよい。
【００２６】
点灯回路１１１は、光源ユニット１１０の点灯、点滅、消灯等に対応する電圧または電流を光源ユニット１１０に供給する。この電圧または電流は、光源ユニット１１０が複数のＬＥＤ素子である場合、例えば、調光比、調色比等の照明態様に応じて異なる。
【００２７】
制御部１１２は、複数の照明態様に対応して点灯回路１１１を制御する。また、制御部１１２は、特定の無線通信モード（登録モード）では、無線装置３００から送信され制御信号または呼び出し信号の受信信号強度を時系列データとして記憶部１１４に記録していき、記録した時系列データを受信信号強度の変動情報として、無線装置３００に送信する。また、制御部１１２は、例えば、明るさを調節する調光機能、色温度を調節する調色機能、時間をかけて明るさを調節するフェード機能、等々を制御する。制御部１１２は、無線装置２００または無線装置３００から無線部１１３を介して受信した無線信号に従う。
【００２８】
無線部１１３は、無線装置２００または無線装置３００と無線信号で通信する。無線信号は、調光または調色等を指示する制御信号や、ブロードキャストアドレスを含む呼び出し信号等を含む。
【００２９】
記憶部１１４は、現在の調光レベルを示すデータ、現在の調色レベルを示すデータ、照明器装置１００の機種情報、状態を示すフラグ類などを記憶する。また、記憶部１１４は、照明装置１００と無線装置２００との間の特定の無線通信モードにおいて照明装置１００毎の変動情報を一時的に記憶する。
【００３０】
電源回路１１５は、照明装置１００内の各部に電源を供給する。
【００３１】
音源部１１６は、例えば、スピーカ、ブザー等を有し、音を出力する。
【００３２】
つづいて、制御装置（つまり無線リモコン）である無線装置２００の構成例について説明する。
【００３３】
図２のように無線装置２００は、ＵＩ（User Interface）部２１０、無線部２１３、制御部２１４、記憶部２１５、取得部２１６、判定部２１７、決定部２１８および登録部２１９を備える。
【００３４】
ＵＩ部２１０は、表示パネル２１１とタッチパネル２１２とを備え、タッチパネル式のＧＵＩ（Graphical User Interface）を構成する。表示パネル２１１は、例えば、液晶表示パネルまたはＥＬパネルであり、各種の操作メニューや状態を示す情報等を表示する。タッチパネル２１２は、ユーザ操作を受け付ける。
【００３５】
無線部２１３は、制御部２１４の制御の下で無線信号を送受信する。
【００３６】
制御部２１４は、無線装置２００全体の動作を制御する。
【００３７】
記憶部２１５は、制御対象の照明装置１００のＩＤを記憶する。つまり、制御対象の照明装置１００を登録している。また、記憶部２１５は、照明装置１００と無線装置２００との間の特定の無線通信モードにおいて照明装置１００毎の変動情報を一時的に記憶する。
【００３８】
取得部２１６は、照明装置１００と無線装置３００との間の特定の無線通信モードにおける照明装置１００または無線装置２００での受信信号強度の変動を示す照明装置１００毎の変動情報を取得する。変動情報の取得については、取得部２１６は、照明装置１００から変動情報を受信することによって取得してもよいし、無線部２１３で照明装置１００から受信した信号の受信信号強度の時系列データを、照明装置１００のＩＤ毎に変動情報として記憶部２１５に作成することによって取得してもよい。
【００３９】
判定部２１７は、取得部２１６によって取得された変動情報に示される変動が所定条件を満たすか否かを判定する。ここで、所定条件は、前記受信信号強度の変動幅に関し、例えば、変動幅がしきい値よりも大きいことでもよいし、複数の照明装置の中で変動幅が最も大きいことでもよい。さらに、所定条件は、変動の回数や周期に関するものでもよい。
【００４０】
決定部２１８は、所定条件を満たすと判定された場合に当該照明装置を登録候補と決定する、この登録候補は、ＵＩ部２１０に表示され、ユーザによる選択を受けた場合に登録部２１９は、登録候補の中から選択された照明装置を制御対象として登録する。つまり、登録部２１９は、選択された照明装置のＩＤを制御対象として記憶部２１５に記憶させる。
【００４１】
さらに、中継装置である無線装置３００の構成例について説明する。
【００４２】
図２のように、無線装置３００は、第１無線部３１３、第２無線部３１４、制御部２１４ａ、記憶部２１５、取得部２１６、判定部２１７、決定部２１８および登録部２１９を備える。この無線装置３００は、図２の無線装置２００の構成例と同じ構成要素には同じ符号を付してある。以下異なる点を中心に説明する。
【００４３】
第１無線部３１３は、無線装置２００と無線信号の送受信を行う。
【００４４】
第２無線部３１４は、照明装置１００と無線信号の送受信を行う。
【００４５】
制御部２１４ａは、無線装置３００全体の動作つまり中継装置としての動作を制御する。また、制御部２１４ａ、記憶部２１５、取得部２１６、判定部２１７、決定部２１８および登録部２１９は、無線装置２００と同様に、制御対象としたい照明装置１００の登録を行う。
【００４６】
［１．３  受信信号強度の変動例］
次に、撹乱部材４００による受信信号強度の変動について説明する。
【００４７】
図３は、無線通信における受信信号強度を示す図である。同図の（ａ）、（ｂ）および（ｃ）は、いずれも横軸が時間、縦軸が受信信号強度を示す。
【００４８】
同図の（ａ）は、照明装置１００に撹乱部材４００を近づけていない状態における受信信号強度を示す。このときの受信信号強度は、約−７３ｄＢｍでほぼ一定になっている。
【００４９】
同図の（ｂ）は、照明装置１００に撹乱部材４００を近づけた状態における受信信号強度を示す。このときの受信信号強度は、平均的には−９０ｄＢｍ程度であり、（ａ）の状態よりも約２０ｄＢｍ低下している。
【００５０】
同図の（ｃ）は、照明装置１００に撹乱部材４００を近づけて遠ざける往復運動を繰り返している状態における受信信号強度を示す。このときの受信信号強度は、撹乱部材４００が往復運動している期間、約―７０ｄＢｍと約−９０ｄＢｍの間で変動している。
【００５１】
この例では、上記の所定条件は、例えば１５または１０（ｄＢｍ）でよく、（ｃ）に対応する照明装置１００が撹乱部材４００の往復運動の対象であると判定される。
【００５２】
［１．４  ＵＩ部の表示例］
次に、特定の無線通信モード（つまり登録モード）におけるＵＩ部２１０の表示例について説明する。
【００５３】
図４は、ＵＩ部２１０における表示例を示す図である。同図では、ＵＩ部２１０には、表示ボックスｄ１と表示ボックスｄ２とが表示されている。
【００５４】
表示ボックスｄ１は、登録モードにおける呼び出し信号に応答した照明装置１００のＩＤ一覧を示している。このＩＤ一覧では「００１」から「００５」までの５つのＩＤが表示されている。このうち、星マークが付加されたＩＤ「００４」は、変動情報が所定条件を満たした登録候補であることを意味するものとする。つまり、ＩＤ「００４」の照明装置１００に対して撹乱部材４００が往復運動等の位置変化をしていたことになる。
【００５５】
表示ボックスｄ２は、無線装置２００近辺の天井に配置された照明装置１００の配置図を示している。同図の５つのアイコンｄ１００は、それぞれ照明装置１００を表す。例えば、右端のアイコンｄ１００に対応する照明装置１００に対して、撹乱部材４００の往復運動がなされていた場合には、当該右端の照明装置１００のＩＤが「００４」であることがわかる。例えば、この表示例において、表示ボックスｄ２の右端のアイコンｄ１００をタップすれば、右端のアイコンｄ１００に対応する照明装置１００に対応させて、ＩＤ「００４」が登録される。このように、制御対象としたい照明装置１００の近傍で撹乱部材４００の位置を変化させることにより、当該照明装置１００を登録し、他の照明装置１００を誤って登録する可能性を大きく低減することができる。
【００５６】
［１．５  登録動作例］
つづいて、登録モードのより具体的な登録動作例について説明する。
【００５７】
図５は、登録モードの処理例を示すシーケンス図である。同図では、無線装置２００または３００と、２つの照明装置１００ａ、１００ｄとを代表的に示す。無線装置２００と無線装置３００は、いずれも同図の処理を行うことができる。以下では便宜上無線装置２００／３００は無線装置２００を指すものとして説明する。
【００５８】
同図において、無線装置２００は、まず、ブロードキャストアドレスを含む呼び出し信号を送信する（Ｓ１１）。呼び出し信号は、近くに存在する照明装置１００を呼ぶ出す信号であり、ＩＤの返送を要求する。また、この呼び出し信号は、登録モードへの移行指示を含んでいてもよい。呼び出し信号を受けて照明装置１００ｄ、１００ａは、それぞれＩＤを含む応答信号を送信する（Ｓ２１）。
【００５９】
無線装置２００は、応答があった照明装置１００ａ、１００ｄのＩＤをＵＩ部２１０に表示する。
【００６０】
次に、無線装置２００は、応答があった照明装置１００ａ、１００ｄに対して、一定期間繰り返し呼ぶ出し信号を送信する（Ｓ１３ａ〜Ｓ１３ｎ）。
【００６１】
この一定期間中に、ユーザまたは設置作業者は、照明装置１００ａではなく、照明装置１００ｄのごく近傍で撹乱部材４００の変位を継続することにより電波を撹乱するものとする。
【００６２】
呼び出し信号を受けた照明装置１００ａ、１００ｄはそれぞれ、応答信号を送信する（Ｓ２３ａ〜Ｓ２３ｎ）。このとき、照明装置１００ａ、１００ｄはそれぞれ、呼び出し信号受信時の受信信号強度の時系列データを変動情報として記録する（Ｓ２２）。
【００６３】
一定期間の経過後、照明装置１００ａ、１００ｄはそれぞれ、記録した変動情報を無線装置２００に送信する（Ｓ２４）。
【００６４】
無線装置２００は、照明装置１００ａ、１００ｄ毎の変動情報に示される変動が所定条件を満たすか否かを判定し（Ｓ１４）、所定条件を満たすと判定された場合に当該照明装置を登録候補と決定および表示し（Ｓ１５）と、登録候補の中から選択された照明装置を制御対象として登録する（Ｓ１６）。
【００６５】
ここで、所定条件は、「変動幅がしきい値を超えていること」でよいが、この代わりに、複数の照明装置１００のうち、変動幅が最も大きい」でもよい。
【００６６】
同図では、照明装置１００ｄでの変動幅がしきい値を超えており、または、照明装置１００ｄでの変動幅が最も大きいので、照明装置１００ｄが登録候補と決定および表示される。登録候補は、ユーザの選択操作に従って登録される。
【００６７】
このように、撹乱部材４００で受信信号強度に変動が生じた照明装置１００が登録候補とされるので、他の照明装置１００を誤登録することを低減することができる。
【００６８】
なお、図５の無線装置２００の処理は、無線装置３００も同様に行うことができる。この場合、表示およびユーザ操作の受付は、無線装置２００を無線装置３００のＵＩ部として利用してもよい。
【００６９】
また、図５において、ステップＳ２４の前提として無線装置２００から変動情報の送信を要求する要求信号を各照明装置１００に送信するようにしてもよい。
【００７０】
［１．６  変形例］
つづいて、実施の形態１における撹乱部材４００および登録方法の変形例について説明する。
【００７１】
図６は、撹乱部材４００の他の例を示す図である。同図の撹乱部材４００は、照明装置１００に変位可能に取り付けられた面状部材を備え、面状部材は電波反射体または電波吸収体である。同図では、変位可能とは剥離可能という意味である。この場合、撹乱部材４００は、剥離前と剥離後との受信信号強度の変動を生じさせる。この撹乱部材４００は、例えば、照明装置１００を天井に設置する工事において利用可能である。
【００７２】
なお、図６では、撹乱部材４００が照明装置１００の下側に配置されているが、長手方向にある側面に配置されていてもよい。この場合、撹乱部材４００は、剥離可能に配置される代わりに、例えば、長手方向の下辺を軸に回動可能に配置されていてもよい。この場合、回動を繰り返すことによって、受信信号強度に変動を生じさせる。
【００７３】
図７は、実施の形態１の登録方法の変形例を示すシーケンス図である。同図は、図５と比べて、ステップＳ２２が削除された点と、ステップＳ１２２が追加された点とが異なっている。以下、異なる点を中心に説明する。
【００７４】
ステップＳ１２２は、照明装置１００毎に行われるステップＳ２２の代わり、無線装置２００がＩＤ毎の変動情報を記録する処理である。つまり、無線装置２００は、応答信号を受信したときの受信信号強度を、照明装置１００のＩＤ毎に、時系列データとして記録する。無線装置２００は、この時系列データを最終的にＩＤ毎の変動情報とする。
【００７５】
図５では無線装置２００は、照明装置１００毎の変動情報を照明装置１００から受信することにより取得した。これに対して、図６では、無線装置２００は、照明装置１００毎の変動情報を、照明装置１００からの応答信号の受信信号強度から生成することにより取得する。
【００７６】
なお、図７の無線装置２００の処理は、無線装置３００も同様に行うことができる。この場合、表示およびユーザ操作の受付は、無線装置２００を無線装置３００のＵＩ部として利用してもよい。
【００７７】
（実施の形態２）
［２．１  照明システムの構成例］
実施の形態２における照明システムの構成例は、実施の形態１の図１、図２と同じでよい。実施の形態２では、無線装置２００は、特定無線通信モード（登録モード）において、呼び出し信号の代わりに照明装置１００の動作状態を変化させることを指示する制御信号を単数回または複数回送信する点と、所定条件が、上記の動作状態の変化と変動情報に示される変動との間に相関性があることを含む点とが異なっている。以下異なる点を中心に説明する。
【００７８】
上記の動作状態の変化とは、例えば、（ａ）人が認識可能な速度で明るさを変化させること、（ｂ）人が認識可能な速度で色温度を変化させること、（ｃ）人が認識可能な速度で音を変化させること、の少なくとも１つである。つまり、上記の制御信号は、（ａ）〜（ｃ）の少なくとも１つを照明装置１００に指示する。
【００７９】
このように動作状態を変化させるのは、撹乱部材４００を上下に変位させるタイミングをユーザまたは設置作業者に知らせるためである。つまり、撹乱部材４００による受信信号強度の変動が、動作状態の変化と相関性があれば、または同期していれば、照明装置１００の登録候補決定をより容易かつより確実にすることができる。
【００８０】
図８は、実施の形態２における登録モードの処理例を示すシーケンス図である。同図は、図５と比べて、ステップＳ１３ａ〜Ｓ１３ｎおよびＳ２３ａ〜Ｓ２３ｎの代わりにステップＳ１ａ〜Ｓ１ｎおよびＳ２ａ〜Ｓ２ｎを行う点が異なっている。すなわち、照明装置１００は、呼び出し信号を繰り返し送信する代わりに制御信号を複数回送信する点が異なっている。同図では、例えば上記（ａ）のケースで、制御信号Ａは、点灯を指示する信号であり、制御信号Ｂが消灯を指示する信号である。制御信号Ａ、Ｂは連続的に送信され、その制御信号ＡとＢの切替え間隔は、人が認識可能な間隔にしている。こうすれば、点灯と点滅という動作状態を人が認識可能な速度で変化させる。この動作状態を変化により、撹乱部材４００を上下に変位させるタイミングをユーザまたは設置作業者に知らせることができる。
【００８１】
このような動作状態の変化について図９〜図１１を用いて具体例を説明する。
【００８２】
図９は、登録モードにおける明るさの変化、撹乱部材の変化、および受信信号強度の変化を示す図である。制御信号Ａ、Ｂは、同図上段のように送信される。これにより、照明装置１００は人が認識可能な速度で点灯と点滅とを繰り返すように動作状態を変化させる。
【００８３】
一方、ユーザまたは設置作業者は、点灯および点滅に動作に合わせて撹乱部材４００を動かす。同図では、点灯すれば撹乱部材４００を照明装置１００に近付け、点滅すれば照明装置１００から遠ざけている。
【００８４】
この撹乱部材４００の変位に応じて受信信号強度が変化することになる。すなわち、同図の変動情報のように、撹乱部材４００が照明装置１００に近付けば受信信号強度が弱くなり、遠ざかれば強くなる。
【００８５】
この場合、図８のステップＳ１４における所定条件は、「動作状態の変化と変動情報に示される変動との間に相関性があること」でよい。また、所定条件は、変動の回数、変動の周期に関するものでもよい。
【００８６】
こうすれば、照明装置１００の登録候補決定をより容易かつより確実にすることができる。
【００８７】
また、図１０は、登録モードにおける色温度の変化、撹乱部材の変化、および受信信号強度の変化を示す図である。同図は、図９と比べて、制御信号Ａ、Ｂの指示内容が異なっている。すなわち、同図では、上記（ｂ）のケースで、制御信号Ａは、色温度を６５００Ｋにすることを指示する信号であり、制御信号Ｂが色温度を２８００Ｋにすることを指示する信号である。これにより、６５００Ｋと２８００Ｋとの間で色温度を人が認識可能な速度で変化させる。
【００８８】
さらに、図１１は、登録モードにおける音の変化、撹乱部材の変化、および受信信号強度の変化を示す図である。同図は、図９と比べて、制御信号Ａ、Ｂの指示内容が異なっている。すなわち、同図では、上記（ｃ）のケースで、制御信号Ａは、音源部１１６から音を出力することを指示する信号であり、制御信号Ｂは１１６から音を出力しないことを指示する信号である。これにより、音の出力の有無を人が認識可能な速度で変化させる。
【００８９】
図１０、図１１によっても、図９と同様に、照明装置１００の登録候補決定をより容易かつより確実にすることができる。
【００９０】
なお、図９〜図１１のステップＳ１ａ〜１ｎの２つ以上を混在させてもよい。つまり、上記の（ａ）〜（ｃ）の２つ以上を混在させてもよい。
【００９１】
［２．２  変形例］
つづいて、実施の形態２における登録方法の変形例について説明する。
【００９２】
図１２は、実施の形態２における変形例を示すシーケンス図である。同図は、図８と比べて、ステップＳ２２が削除された点と、ステップＳ１２２が追加された点とが異なっている。以下、異なる点を中心に説明する。
【００９３】
ステップＳ１２２は、照明装置１００毎に行われるステップＳ２２の代わり、無線装置２００がＩＤ毎の変動情報を記録する処理である。この処理は図７で既に説明した。
【００９４】
図１２では無線装置２００は、照明装置１００毎の変動情報を照明装置１００から受信することにより取得した。これに対して、図１２では、無線装置２００は、照明装置１００毎の変動情報を、照明装置１００からの応答信号の受信信号強度から生成することにより取得する。
【００９５】
なお、図１２の無線装置２００の処理は、無線装置３００も同様に行うことができる。この場合、表示およびユーザ操作の受付は、無線装置２００を無線装置３００のＵＩ部として利用してもよい。
【００９６】
［２．３  その他］
このように実施の形態１、２に係る無線制御照明システム、無線装置および登録方法によれば、制御対象とする照明装置の登録に際して誤登録を低減することができる。
【００９７】
以上のように実施の形態１、２に係る無線制御照明システムは、無線通信機能を有する照明装置１００と、照明装置を無線通信により制御する無線装置２００（または３００）とを備え、前記無線装置２００（または３００）は、前記照明装置１００と前記無線装置との間の特定の無線通信モードにおける前記照明装置１００または前記無線装置２００（または３００）での受信信号強度の変動を示す前記照明装置１００毎の変動情報を取得する取得部２１６と、前記変動情報に示される変動が所定条件を満たすか否かを判定する判定部２１７と、前記所定条件を満たすと判定された場合に当該照明装置１００を登録候補と決定する決定部２１８と、前記登録候補の中から選択された照明装置を制御対象として登録する登録部２１９とを備える。
【００９８】
ここで、前記無線装置２００（または３００）は、ユーザ操作に従って前記無線通信により前記照明装置１００を制御する制御装置２００、および、前記制御装置２００からの無線信号を前記照明装置１００に中継する中継装置３００の一方であってもよい。
【００９９】
ここで、前記所定条件は、前記受信信号強度の変動幅に関するものでもよい。
【０１００】
ここで、前記無線装置２００（または３００）は、前記特定の無線通信モードにおいて、前記照明装置１００の動作状態を変化させることを指示する制御信号を単数回または複数回送信し、前記所定条件は、前記動作状態の変化と前記変動情報に示される変動との間に相関性があることを含んでいてもよい。
【０１０１】
ここで、前記制御信号は、人が認識可能な速度で明るさを変化させることを指示してもよい。
【０１０２】
ここで、前記制御信号は、人が認識可能な速度で色温度を変化させることを指示してもよい。
【０１０３】
ここで、前記照明装置１００は、音を出力する音源部１１６を備え、前記制御信号は、人が認識可能な速度で前記音源部の音を変化させことを指示してもよい。
【０１０４】
ここで、前記無線制御照明システムは、さらに、電波反射体または電波吸収体を含む面状部材４１０と、前記面状部材４１０に取り付けられた柄４２０とを備えてもよい。
【０１０５】
ここで、前記無線制御照明システムは、さらに、前記照明装置に変位可能に取り付けられた面状部材を備え、前記面状部材は電波反射体または電波吸収体であるとしてもよい。
【０１０６】
ここで、前記照明装置１００は、前記特定の無線通信モードにおいて前記変動情報を生成し、当該変動情報を前記無線装置に送信し、前記取得部２１６は、前記照明装置１００から前記変動情報を受信することにより取得してもよい。
【０１０７】
ここで、前記無線装置１００は、前記特定の無線通信モードにおいて前記変動情報を生成し、前記取得部２１６は、生成された前記変動情報を取得してもよい。
【０１０８】
また、実施の形態１、２に係る無線装置は、照明装置１００を無線通信により制御する無線装置２００（または３００）であって、前記照明装置１００と前記無線装置２００（または３００）との間の特定の無線通信モードにおける前記照明装置１００または前記無線装置２００（または３００）での受信信号強度の変動を示す前記照明装置１００毎の変動情報を取得する取得部２１６と、前記変動情報に示される変動が所定条件を満たすか否かを判定する判定部２１７と、前記所定条件を満たすと判定された場合に当該照明装置を登録候補と決定する決定部２１８と、前記登録候補の中から選択された照明装置を制御対象として登録する登録部２１９とを備える。
【０１０９】
また、実施の形態１、２に係る照明装置の登録方法は、無線装置２００（または３００）に制御対象の照明装置１００を登録する方法であって、前記照明装置１００と前記無線装置２００（または３００）との間の特定の無線通信モードにおける前記照明装置１００または前記無線装置２００（または３００）での受信信号強度の変動を示す前記照明装置１００毎の変動情報を取得し、前記変動情報に示される変動が所定条件を満たすか否かを判定し、前記所定条件を満たすと判定された場合に当該照明装置１００を登録候補と決定し、前記登録候補の中から選択された照明装置１００を制御対象として登録する。
【０１１０】
以上、本発明に係る無線制御照明システム、無線装置および登録方法について、実施の形態に基づいて説明したが、本発明は、実施の形態に限定されるものではない。本発明の主旨を逸脱しない限り、当業者が思いつく各種変形を本実施の形態に施したものや、実施の形態および変形例における一部の構成要素を任意に組み合わせて構築される別の形態も、本発明の範囲内に含まれる。
【符号の説明】
【０１１１】
１００  照明装置
２００、３００  無線装置
２１６  取得部
２１７  判定部
２１８  決定部
２１９  登録部
【図１】
2017107669.tif 000003
【図２】
2017107669.tif 000004
【図３】
2017107669.tif 000005
【図４】
2017107669.tif 000006
【図５】
2017107669.tif 000007
【図６】
2017107669.tif 000008
【図７】
2017107669.tif 000009
【図８】
2017107669.tif 000010
【図９】
2017107669.tif 000011
【図１０】
2017107669.tif 000012
【図１１】
2017107669.tif 000013
【図１２】
2017107669.tif 000014